(57)【特許請求の範囲】
【請求項１】
車輪６，７の回転で水田内を前進する走行車体１の後に滑走体３０が泥面を滑走するように取付けられ、複数の作溝具３７が滑走体３０に上記の滑走で泥面に播種溝を作るように横並びに配置され、前進方向に対して傾斜した土寄面３９ａを備えていてその前進で種子が播かれた上記の播種溝を埋戻す埋戻具３９がそれぞれの作溝具３７の後に設けられ、走行車体１が作った轍７ａを通る埋戻具３９の土寄面３９ａは前記の傾斜が他の埋戻具３９のそれよりも緩く設けられている播種機。
【発明の詳細な説明】
【０００１】
【発明の属する技術分野】
この発明は、水田に種もみを直播する潅水直播機に有効に用いられるものである。
【０００２】
【従来の技術】
走行車体の後に滑走体が設けられ、これに複数の作溝具が横並びに配置されて、走行車体の前進で作溝具が泥面に複数の播種溝を作るようになっている。それぞれの作溝具の後に埋戻具が設けられ、種もみが蒔かれた播種溝を埋戻すように出来ている。
【０００３】
【発明が解決しようとする課題】
埋戻具は、走行車体の前進方向に対して傾斜した埋戻面を備え、その前進で播種溝の横の土を溝内に掻き寄せるようにして埋戻す。そのため、埋戻具が、走行車体が作った轍を通ると、この轍には土が益り上がっていることが多いため、他よりも土を多量に掻き寄せる。その結果、この位置では種子が他よりも深播きとなる傾向があって、作物の生育に不均衡を生じるおそれがある。
【０００４】
【課題を解決するための手段】
上記の課題を解決するため、この発明は、車輪６，７の回転で水田内を前進する走行車体１の後に滑走体３０が泥面を滑走するように取付けられ、複数の作溝具３７が滑走体３０に上記の滑走で泥面に播種溝を作るように横並びに配置され、前進方向に対して傾斜した土寄面３９ａを備えていてその前進で種子が播かれた上記の播種溝を埋戻す埋戻具３９がそれぞれの作溝具３７の後に設けられ、走行車体１が作った轍７ａを通る埋戻具３９の土寄面３９ａは前記の傾斜が他の埋戻具３９のそれよりも緩く設けられている播種機とした。
【０００５】
【発明の実施の形態】
つぎに、この発明の実施例を説明する。
走行車体１に播種装置２が装着されて播種機となっている（図１）。
走行車体１がつぎのように構成されている。フレーム３の前後に主歯車箱４と後輪歯車箱５が装着され、それぞれの歯車箱４，５の両横に前輪６と後輪７が取付けられている。エンジン８がフレーム３に取付けられ、その動力が主歯車箱４内の変速機で所定の速度に調整されたのち、それぞれの前輪６と後輪７に伝わり、これらが水田の耕盤上で回転して走行車体１が進行するように出来ている。座席９がエンジン８の上に設けられ、その前のステアリングハンドル１０を操作すると、前輪６が操縦されて上記の進路が変わるようになっている。支柱１１がフレーム３の後部から上に伸び、これと後の昇降枠１２に平行リンク１３の両端が回動自在に取付けられている。昇降シリンダ１４の前部がフレーム３に回動自在に取付けられ、これから斜後上に突出したピストンロッド１４ａの突端が下の平行リンク１３に接合し、昇降シリンダ１４に対する油の給排でピストンロッド１４ａが出没すると、昇降枠１２が同じ姿勢を保って昇降するように出来ている。
【０００６】
播種装置２は、支柱１１の上部の繰出部と昇降枠１１の播種部で構成され、その繰出部が図１、図２のように出来ている。パイプで構成された横長のエアチャンバ１５が支枠１６を介して支柱１１の上に固定されている。１０本の吹出管１７がエアチャンバ１５から後に突出し、ブロア１８で吹き込まれた空気が後に吹き出されるようになっている。吹出管１７の上に配置されたタンク１９は、底に１０個の谷１９ａを備え、それぞれの谷１９ａの底が誘導筒２０で対応する吹出管１７の中間部に連結されている。外周に複数の繰出溝２１ａを有するローラ２１がそれぞれの誘導筒２０内に設けられ、軸２２の回転で図２で反時計方向に回るようになっている。軸２２に取付けたラチェットホイル（図示していない）からアーム２３が前に突出し、エンジン８の動力でロッド２４が上下に往復駆動すると、アーム２３が揺動し、軸２２が間欠的に回転する。柄２５Ａの先に毛２５Ｂが植えられてブラシ２５が構成され、これがそれぞれの誘導筒２０の中央部に下向きに配置されて毛先がローラ２１に接している。その上に案内板２６が設けられ、それぞれの谷１９ａの内の種もみをローラ２１の後部に誘導するようになっている。
【０００７】
そのため、水に浸漬したのち、生石炭を主成分とする発芽促進剤でコーティングされた種もみは、それぞれの谷１９ａからローラ２１の繰出溝２１ａに入り、その回転にともなって、益り上ったものが毛２５Ｂで掻き落され、定量が吹込管１７内に繰り出される。
従来は、ブラシ２５がローラ２１の前方に横向きに配置されていた。そのため、繰出溝２１ａに入る種もみは、タンク１９内の種もみの圧力を受けて充填率が上昇し、毛２５Ｂで掻き落される際に発芽促進剤が剥離するおそれがあった。これに対し、図３のように、ブラシ２５を垂直に配置すると、上記の剥離が９０％近く改善された。そして、図２のように、そのブラシ２５の下端を前に傾斜させると、ローラ２１の近傍の種もみが上部の種もみから受ける圧力がさらに軽減されて繰出溝２１ａへの充填率が低下し、上記の剥離がさらに改善された。
【０００８】
播種装置２の播種部が図１、図４、図５のように出来ている。取付箱２７が前後方向のローリング軸２８で昇降枠１２の下部に揺動自在に取付けられている。支管２９が取付箱２７から左右に突出し、その下に５個のフロート（滑走体）３０が横並びに配置されている。それぞれのフロート３０は、後部のＵ字形の取付金具３１が支管２９から斜後下に伸びた後アーム３２の後端にピン３３で回動自在に取付けられ、前部のリンク３４の長孔３４ａに支管２９又は後アーム３２から斜前下に伸びた前アーム３５の先のピン３６が差し込まれ、走行車体１の前進でピン３３の回りに揺動しながら泥面を滑走するようになっている。後に開口したＵ字形の２個の取付溝３０ａがそれぞれのフロート３０に設けられ、それぞれの取付溝３０ａの前部に作溝具３７が固定されている。作溝具３７は、フロート３０の下面で取付溝３０ａから前方に突出した作溝体３７Ａと、その後部から上に突出した誘導部３７Ｂで出来ている。１０本のホース３８がそれぞれ対応する吹出管１７の後端と誘導部３７Ｂの上端を連結している。そして、フロート３０の上記の滑走で作溝体３７Ａが泥面に播種溝を作り、吹出管１７内に繰り出された前記の種もみが、吹き出される空気でホース３８内を送られて誘導部３７Ｂに達したのち、それぞれのその播種溝内に散布される。
【０００９】
１０個の埋戻具３９がそれぞれの作溝具３７の後でフロート３０の底面に取付けられている。埋戻具３９は、横に土寄面３９ａを備え、この土寄面３９ａがフロート３０の前進方向に傾斜し、その前進に基いて播種溝の横の土を掻き寄せてその溝を埋戻すようになっている。また、埋戻具３９は、左から３９−１，３９−２，３９−３……３９−１０で構成され、図４では、その３９−２，３９−３，３９−８，３９−９が左右の後輪７の轍７ａを通るようになっている。そして、埋戻具３９−２，３９−３，３９−８，３９−９の土寄面３９ａは、他の埋戻具３９−１，３９−４……の土寄面３９ａよりも、上記の傾斜が緩くなっている。
【００１０】
埋戻具３９は、泥土の硬軟に応じ自動的に上記の傾斜が変化するように構成することが出来る。すなわち、図６、図７、図８のように、横杆４０がそれぞれの取付金具３１のテール３１ａの上に固定されている。一対の縦軸４１がその両横に回動自在に取付けられて、それぞれの上下にレバー４２と埋戻具３９が固定されている。埋戻具３９の土寄面３９ａが後から見て斜面（図８）に形成されている。縦軸４１の内側で横杆４０に一対の支板４３が固定され、レバー４２と支板４３に掛けたばね４４でそれぞれの埋戻具３９が縦軸４１の回りに引き回されている。
【００１１】
横枠４５が支管２９の上に固定され、そのほぼ中央から支杆４６が前に伸びている。その先端から斜下に伸びたアーム４７の下端にレバー４８の上端が軸４７ａの回りに回動自在に取付けられている。レバー４８の下端の軸４８ａに車４９が回転自在に取付けられ、レバー４８や車４９の自重でその下部が泥土に突入して走行車体１とともに回転しながら前進するようになっている。従って、泥土が硬いと、車４９が浮き上り勝手になってレバー４８の傾斜が緩くなり、泥土が軟いと、車４９が沈み勝手になってレバー４８の傾斜が急になる。アーム４７と一体の支板５０にポテンショメータで構成された角度センサ５１が取付けられ、レバー４８の上端から上に伸びた作動腕４８ｂがそのアーム５１ａに接続し、レバー４８の上記の傾斜角を制御部６０に入力するようになっている。
【００１２】
支柱５２が支杆４６から上に伸び、その上端のホーク５２ａに電動シリンダ５３が回動自在に取付けられている。５本の支柱５４が横枠４５からそれぞれのフロート３０の上で上に伸び、上端のそれぞれの支持板５４ａで一本の横軸５５が回動自在に支持されている。主動アーム５５ａが横軸５５の中央部から後に伸び、その突端と、電動シリンダ５３のロッド５３ａが接続し、ロッド５３ａの出没で横軸５５が回動するようになっている。それぞれの支持板５４ａは、上から見てＵ字形に形成されて底板５４ｂを備え、それぞれのＵ字形の空間において一対の従動アーム５５ｂが横軸５５に固定されている。対応するレバー４２と従動アーム５５ｂがワイヤ５６で連結されている。すなわち、アウターワイヤ５６Ａの両端が底板５４ｂと支持板４３に取付けられ、その中を通ったインナーワイヤ５６Ｂの両端が従動アーム５５ｂとレバー４２に取付けられ、横軸５５の回動で従動アーム５５ｂが揺動すると、インナーワイヤ５６Ｂがアウターワイヤ５６Ａ内を摺動し、レバー４２が揺動して埋戻具３９の傾斜が変化するようになっている。  前記と同様に、轍７ａを通る埋戻具３９は、その土寄面３９ａの前進方向に対する傾斜が、他の埋戻具３９のそれよりも緩く設けられ、この状態を保ってすべての埋戻具３９がロッド５３ａの出没でつぎのように、それぞれの縦軸４１の回りに回動する。すなわち、制御部６０が角度センサ５１からの入力で電動シリンダ５３に出力し、泥土が硬いと、電動シリンダ５３がロッド５３ａを引き戻し、一つのフロート３０の左右一対の埋戻具３９が、それぞれの後端が近寄る方向（図７）に回動する。これとは逆に、泥土が軟いと、上記の後端が開く方向に回動する。
【００１３】
【効果】
この発明によると、轍を通る埋戻具は、その土寄面の前進方向に対する傾斜が、轍を通らない埋戻具のそれよりも緩くなっているので、左右に並んだすべての播種溝に対する土の埋戻し量が均衡し、種子の播き深さが均一化する。
【図面の簡単な説明】
【図１】この発明を施した播種機の側面図
【図２】その一部の拡大した切断側面図
【図３】その比較図
【図４】その一部の拡大した平面図
【図５】その側面図
【図６】他の実施例を示す一部の側面図
【図７】その平面図
【図８】その背面図
【符号の説明】
１    走行車体
６    車輪（前輪）
７    車輪
７ａ  轍
３０    滑走体（フロート）
３７    作溝具
３９    埋戻具
３９ａ  土寄面
【図１】
0003758349.tif 000002
【図２】
0003758349.tif 000003
【図３】
0003758349.tif 000004
【図４】
0003758349.tif 000005
【図５】
0003758349.tif 000006
【図６】
0003758349.tif 000007
【図７】
0003758349.tif 000008
【図８】
0003758349.tif 000009